(57)【要約】【課題】様々な植物を立体的に栽培・観賞することを可能にした植物栽培観賞用具を提供する【解決手段】周面に複数の窓部３が形成され、内部に土５を収容可能な保形性のある筒状の本体部２と、窓部３の後方に形成されたカバー部材４とを備え、カバー部材４は、本体部２に収容した土５が窓部３からこぼれないように塞き止めると共に、窓部３の下部に土の露出面５aが造られるように下端部を窓部３から後方に離隔させて構成している。【選択図】図１
2011078329.tif 000002
【特許請求の範囲】
【請求項１】
周面に複数の窓部が形成され、内部に土を収容可能な保形性のある筒状の本体部と、
前記窓部の後方に形成されたカバー部材とを備え、
前記カバー部材は、前記本体部に収容した土が前記窓部からこぼれないように塞き止めると共に、前記窓部の下部に土の露出面が造られるように下端部を前記窓部から後方に離隔させていることを特徴とする植物栽培観賞用具。
【請求項２】
前記土の露出面に、植物の苗が直接植え込まれていることを特徴とする請求項１に記載の植物栽培観賞用具。
【請求項３】
前記土の露出面に、植物の苗が植えられたポットが載置されていることを特徴とする請求項１に記載の植物栽培観賞用具。
【請求項４】
前記本体部は、前面の横幅よりも奥行きが小さい薄型形状であり、後部にはフックが設けられていることを特徴とする請求項１乃至３に記載の植物栽培観賞用具。
【請求項５】
パイプの上下に間隔をおいて側方に突出する分岐管が形成され、上部には漏斗部が形成された給水・給肥部材を、前記本体部に収容された土内に埋設したことを特徴とする請求項１乃至４に記載の植物栽培観賞用具。
【発明の詳細な説明】
【技術分野】
【０００１】
本発明は、立体的に植物を密植栽培し、観賞できるようにした植物栽培観賞用具に関する。
【背景技術】
【０００２】
園芸植物を高さ方向に立体的に栽培するための園芸補助具としては、菊や朝顔などの鉢植えに使用する行灯仕立や、各種の観葉植物の鉢植えに使用するポール、添え木などが一般に知られている。また、観葉植物などの園芸植物を立体的に密植させるのに好適な筒形園芸補助具も提案されている（特許文献１参照）。
【先行技術文献】
【特許文献】
【０００３】
【特許文献１】特許３４６４９４６号
【発明の概要】
【発明が解決しようとする課題】
【０００４】
特許文献１に記載されている筒形園芸補助具では、園芸植物を立体的に密植させることがでるが、筒形園芸補助具の孔に植物の茎を通して植え込むものであるので、ポトスや折鶴ランのようにツル状の茎を有する植物に限定され、様々な植物を立体的に栽培・観賞するには適していないという課題があった。
【０００５】
本発明は、このような課題を解決するためになされたもので、様々な植物を立体的に栽培・観賞することを可能にした植物栽培観賞用具を提供することを目的とする。
【課題を解決するための手段】
【０００６】
上記課題を解決するため、請求項１に記載の植物栽培観賞用具は、周面に複数の窓部が形成され、内部に土を収容可能な保形性のある筒状の本体部と、前記窓部の後方に形成されたカバー部材とを備え、前記カバー部材は、前記本体部に収容した土が前記窓部からこぼれないように塞き止めると共に、前記窓部の下部に土の露出面が造られるように下端部を前記窓部から後方に離隔させていることを特徴とするものである。
【０００７】
請求項２に記載の植物栽培観賞用具は、前記窓の下部の土に植物の苗が直接植え込まれていることを特徴とするものである。
【０００８】
請求項３に記載の植物栽培観賞用具は、前記窓の下部の土に植物の苗が植えられたポットが載置されていることを特徴とするものである。
【０００９】
請求項４に記載の植物栽培観賞用具は、前記本体部は、前面の横幅よりも奥行きが小さい薄型形状であり、後部にはフックが設けられていることを特徴とするものである。
【００１０】
請求項５に記載の植物栽培観賞用具は、パイプの上下に間隔をおいて側方に突出する分岐管が形成され、上部には漏斗部が形成された給水・給肥部材を、前記本体部に収容された土内に埋設したことを特徴とするものである。
【発明の効果】
【００１１】
本発明によれば、筒形の本体部の周面に形成された多数の窓部を通して植物の苗を植え込むことにより、所望の植物を立体的に栽培し、観賞することができる。また、多数の植え込み口があるので、同一の植物のみならず、異なった様々の植物を植え込んで立体的にアレンジして観賞することができると共に、植え込み時期をずらせて、例えば成長の早い植物を後から植え込む等、変化に富んだ使用態様をとることができる。
【図面の簡単な説明】
【００１２】
【図１】本発明の植物栽培観賞用具の第１実施形態を示す斜視図である。
【図２】図１のII−II線断面図である。
【図３】図１のIII−III線断面図である。
【図４】苗の植え込み態様の他例を示す断面図である。
【図５】植物栽培観賞用具の使用状態を示す斜視図である。
【図６】本発明の植物栽培観賞用具の第２実施形態を示す斜視図である。
【図７】本発明の植物栽培観賞用具の第３実施形態を示す斜視図である。
【発明を実施するための形態】
【００１３】
以下、図面を参照して本発明に係る植物栽培観賞用具の実施の形態を説明する。
図１は、本発明に係わる植物栽培観賞用具の実施形態を示す斜視図、図２は、図１のII−II線断面図、図３は、図１のIII−III線断面図である。
【００１４】
図１ないし図３に示すように、本発明の植物栽培観賞用具１は、土５を収容して自立可能な保形性のある、例えば硬質合成樹脂からなる角形の筒状の本体部２を備えている。本体部２の下部には脚部１４が設けられている。植物栽培鑑賞用具１を単体で使用場合は、本体部２の下端部には、底部２aが設けられるが、後述する飾り鉢８上で使用する場合は、無底の構成が好ましい。
図示の例では、本体部２は正方形の筒型であるが、長方形、円形、その他任意の形状であってよい。
【００１５】
この本体部２の周面には、多数の窓部３が形成されている。この窓部３は、図示の例では、上部が弧状部３a、下部が直線部３ｂとなった形状の例を示しているが、半円形、半楕円形その任意の形状であってよい。
【００１６】
窓部３の後方（本体部２の内側）には、本体部２に収容した土５が窓部３からはみ出さないように、カバー部材４が設けられている。このカバー部材４は、上端部４aは窓部３の裏面の上部付近に、両側端部４ｂは窓部３の裏面の両側付近に、各々固着され、下部に行くにしたがって徐々に窓部３から離隔していき、下端部は開放部４ｃとなっている。この開放部４ｃに土５の露出面５aが造られるようになっている。カバー部材４は水はけをよくするため、図示のように透孔４ｄを形成するか、もしくは網状、ざる状、その他水はけのよい材質ものを使用することが好ましい。
【００１７】
図２、図３に示すように、窓部３を介して土５の露出面５aに、花、観葉植物など所望の植物の苗６を植えている。各々の窓部３に同一の植物の苗を植えてもよいし、異なる植物の苗を植えてもよい。同一時期に植えてもよいし、時期をずらせて植えてもよい。
【００１８】
図４は、苗６を植えたポット７を土５の露出面５aに埋め込んだ例である。なお、ポット７は露出面５aに載置するだけでもよい。期間が経つとポット７の底から苗６の根が土５内に張っていくことになる。
【００１９】
図５は、植物栽培観賞用具１の使用状態を示すもので、飾り鉢８の土に脚部１４を刺し込むことにより本体部２を直立させ、窓部３で花、観葉植物など植物９を立体的に栽培し、観賞できるようになっている。この使用態様では、前述のように本体部２は無底であり、本体部２内の土は飾り鉢８の土と連続している。
【００２０】
図５は、本発明の植物栽培観賞用具１の第２実施形態を示すものである。この第２の実施形態では、本体部２の奥行きＭを前幅Ｎより小さくした長方形の薄型形状とし、後部にフック１０を設けたものである。これにより、塀、ベランダ等の所望の建造物に引っ掛けて使用することができる。本体部２が円筒体である場合は、例えば半円形の薄型とすることができる。この実施形態では、本体部２は底部２aを持った有底構造であり、かつ、脚部１４は設けなくてもよい。
【００２１】
図６は、本発明の植物栽培観賞用具の第３実施形態を示すもので、給水・給肥部材を設けたものである。
【００２２】
給水・給肥部材１１は、孔付きのパイプ１２の上下に間隔をおいて側方に突出する分岐管１３が形成され、上部には漏斗部１４が形成されたものである。漏斗部１４から水または液状の肥料を供給することにより、土５の下部にいたるまで全体的に給水及び給肥を行うことができる。
【符号の説明】
【００２３】
１    植物栽培観賞用具
２    本体部
３    窓部
４    カバー部材
５    土
６    苗
７    ポット
８    飾り鉢
９    植物
１０  フック
１１  給水・給肥部材
１２  パイプ
１３  分岐管
１４  漏斗部
【図１】
2011078329.tif 000003
【図２】
2011078329.tif 000004
【図３】
2011078329.tif 000005
【図４】
2011078329.tif 000006
【図５】
2011078329.tif 000007
【図６】
2011078329.tif 000008
【図７】
2011078329.tif 000009